(57)【特許請求の範囲】
【請求項１】
略直方体形状の被梱包物（１）を梱包する梱包装置（１０）において、前記被梱包物の平面視における各コーナー部（１ａ〜１ｄ）をそれぞれ保護しており、前記被梱包物の側面を覆う外装材（１３）によって、前記被梱包物とともに外周側から覆われる段ボール製のコーナー保護材であって、
前記被梱包物の平面視において、前記コーナー部を前記被梱包物の外周側から挟むように面接触しており、前記コーナー部の頂点に対応するコーナー頂部（Ａ）から前記被梱包物の外周面に沿って前記コーナー頂部から遠い側に位置する第１コーナー端部（Ｂ）に向かって延びる第１内側面部（２１）と、
前記被梱包物の平面視において、前記コーナー部を前記被梱包物の外周側から挟むように面接触しており、前記コーナー部の頂点に対応するコーナー頂部（Ａ）から前記被梱包物の外周面に沿って前記コーナー頂部から前記第１内側面部に直交する方向の遠い側に位置する第２コーナー端部（Ｄ）に向かって延びる第２内側面部（２２）と、
前記被梱包物の平面視において、前記第１及び第２コーナー端部から前記コーナー頂部よりも外周側に位置しかつ前記外装材に接触する点であるコーナー外周側頂部（Ｃ）に向かって真っ直ぐに延びる第１及び第２外側面部（２３、２４）と、
が、１つの段ボール素材（Ｐ）を折り曲げることによって形成されており、
前記第１内側面部、前記第２内側面部、前記第１外側面部及び前記第２外側面部によって、前記被梱包物の平面視において２つの三角形が合わさった形状の中空空間（Ｓ）が形成されており、
前記被梱包物の平面視において、前記段ボール素材は、その一端（Ｅ）からその他端（Ｆ）に向かって、前記第１内側面部、前記第２内側面部、前記第２外側面部、前記第１外側面部、前記第１内側面部、前記第２内側面部の順に折り曲げられており、前記一端が前記第１内側面部に位置し、前記他端が前記第２内側面部に位置し、前記コーナー頂部、前記第１内側面部及び前記第２内側面部で重なっている、
コーナー保護材（１２）。
【請求項２】
略直方体形状の被梱包物（１）を梱包する梱包装置（１０）において、前記被梱包物の平面視における各コーナー部（１ａ〜１ｄ）をそれぞれ保護しており、前記被梱包物の側面を覆う外装材（１３）によって、前記被梱包物とともに外周側から覆われる段ボール製のコーナー保護材であって、
前記被梱包物の平面視において、前記コーナー部を前記被梱包物の外周側から挟むように面接触しており、前記コーナー部の頂点に対応するコーナー頂部（Ａ）から前記被梱包物の外周面に沿って前記コーナー頂部から遠い側に位置する第１コーナー端部（Ｂ）に向かって延びる第１内側面部（２１）と、
前記被梱包物の平面視において、前記コーナー部を前記被梱包物の外周側から挟むように面接触しており、前記コーナー部の頂点に対応するコーナー頂部（Ａ）から前記被梱包物の外周面に沿って前記コーナー頂部から第１内側面部に直交する方向の遠い側に位置する第２コーナー端部（Ｄ）に向かって延びる第２内側面部（２２）と、
前記被梱包物の平面視において、前記第１及び第２コーナー端部から前記コーナー頂部よりも外周側に位置しかつ前記外装材に接触する点であるコーナー外周側頂部（Ｃ）に向かって真っ直ぐに延びる第１及び第２外側面部（２３、２４）と、
が、１つの段ボール素材（Ｐ’）を折り曲げることによって形成されており、
前記第１内側面部、前記第２内側面部、前記第１外側面部及び前記第２外側面部によって、前記被梱包物の平面視において２つの三角形が合わさった形状の中空空間（Ｓ）が形成されており、
前記被梱包物の平面視において、前記段ボール素材は、その一端（Ｅ）からその他端（Ｆ）に向かって、前記第１外側面部、前記第１内側面部、前記第２内側面部、前記第２外側面部、前記第１外側面部の順に折り曲げられており、前記一端が前記第１外側面部に位置し、前記他端が前記第１外側面部の前記第１コーナー端部近傍に位置し、前記第１外側面部で重なっている、
コーナー保護材（１２）。
【請求項３】
前記段ボール素材（Ｐ）には、前記第１内側面部（２１）又は前記第２内側面部（２２）における重なり部分に係止爪（２５、２８）が形成されている、
請求項１に記載のコーナー保護材（１２）。
【発明の詳細な説明】
【技術分野】
【０００１】
本発明は、コーナー保護材、特に、略直方体形状の被梱包物の平面視における各コーナー部をそれぞれ保護しており被梱包物の側面を覆う外装材によって被梱包物とともに外周側から覆われる段ボール製のコーナー保護材に関する。
【背景技術】
【０００２】
従来より、略直方体形状の被梱包物を梱包する梱包装置がある。この梱包装置は、主として、被梱包物を載置するパレットと、被梱包物の平面視における各コーナー部をそれぞれ保護するコーナー保護材と、被梱包物の側面をコーナー保護材とともに外周側から覆う外装材とを有している。コーナー保護材として段ボール製のものを採用する場合には、特許文献１（特開平８−２５５３０号公報）に示されるものと同様に、段ボール素材を積層して平面視略Ｌ字形状に形成したもの（図１１を参照）が使用される。
【発明の概要】
【発明が解決しようとする課題】
【０００３】
上記従来の梱包装置では、コーナー保護材が段ボール素材を積層して形成されているため、被梱包物側方からの荷重に対してコーナー保護材の変形が小さく、被梱包物のコーナー部の保護は良好であるが、段ボール素材の使用量が多くなる傾向にあった。
【０００４】
本発明の課題は、段ボール素材の使用量を少なくしつつ、被梱包物側方からの荷重に対する変形を抑えることが可能な段ボール製のコーナー保護材を提供することにある。
【課題を解決するための手段】
【０００５】
第１の観点にかかる段ボール製のコーナー保護材は、略直方体形状の被梱包物を梱包する梱包装置において、被梱包物の平面視における各コーナー部をそれぞれ保護しており、被梱包物の側面を覆う外装材によって、被梱包物とともに外周側から覆われるものである。このコーナー保護材は、第１及び第２内側面部と第１及び第２外側面部とが１つの段ボール素材を折り曲げることによって形成されている。第１内側面部は、被梱包物の平面視において、コーナー部を被梱包物の外周側から挟むように面接触しており、コーナー部の頂点に対応するコーナー頂部から被梱包物の外周面に沿ってコーナー頂部から遠い側に位置する第１コーナー端部に向かって延びる面部である。第２内側面部は、被梱包物の平面視において、コーナー部を被梱包物の外周側から挟むように面接触しており、コーナー部の頂点に対応するコーナー頂部から被梱包物の外周面に沿ってコーナー頂部から第１内側面部に直交する方向の遠い側に位置する第２コーナー端部に向かって延びる面部である。第１及び第２外側面部は、被梱包物の平面視において、第１及び第２コーナー端部からコーナー頂部よりも外周側に位置しかつ外装材に接触する点であるコーナー外周側頂部に向かって真っ直ぐに延びる面部である。ここで、第１内側面部、第２内側面部、第１外側面部及び第２外側面部によって、被梱包物の平面視において２つの三角形が合わさった形状の中空空間が形成されている。そして、被梱包物の平面視において、段ボール素材は、その一端からその他端に向かって、第１内側面部、第２内側面部、第２外側面部、第１外側面部、第１内側面部、第２内側面部の順に折り曲げられており、その一端が第１内側面部に位置し、その他端が第２内側面部に位置し、コーナー頂部、第１内側面部及び第２内側面部で重なっている。
【０００６】
このコーナー保護材では、２つの内側面部及び２つの外側面部によって、被梱包物の平面視において、２つの三角形が合わさった形状の中空空間を有するものとなり、これが被梱包物のコーナー部を囲むことになる。そして、このコーナー保護材では、２つの内側面部が被梱包物に面接触し、かつ、２つの外側面部が第１及び第２コーナー端部からコーナー外周側頂部に向かって真っ直ぐ延びており、しかも、段ボール素材の一端が第１内側面部に位置し、段ボール素材の他端が第２内側面部に位置し、被梱包物のコーナー部に接触するコーナー頂部、第１内側面部及び第２内側面部で重なっている。このため、このコーナー保護材では、中空空間を有する形状であるにもかかわらず、被梱包物側方からの荷重に対して変形が抑えられ、型くずれが生じにくくなっている。
【０００７】
これにより、このコーナー保護材では、段ボール素材を積層して形成する場合に比べて、段ボール素材の使用量を少なくしつつ、被梱包物側方からの荷重に対する変形を抑えることができる。しかも、被梱包物のコーナー部の保護をより良好なものとすることができる。
【０００８】
第２の観点にかかる段ボール製のコーナー保護材は、略直方体形状の被梱包物を梱包する梱包装置において、被梱包物の平面視における各コーナー部をそれぞれ保護しており、被梱包物の側面を覆う外装材によって、被梱包物とともに外周側から覆われるものである。このコーナー保護材は、第１及び第２内側面部と第１及び第２外側面部とが１つの段ボール素材を折り曲げることによって形成されている。第１内側面部は、被梱包物の平面視において、コーナー部を被梱包物の外周側から挟むように面接触しており、コーナー部の頂点に対応するコーナー頂部から被梱包物の外周面に沿ってコーナー頂部から遠い側に位置する第１コーナー端部に向かって延びる面部である。第２内側面部は、被梱包物の平面視において、コーナー部を被梱包物の外周側から挟むように面接触しており、コーナー部の頂点に対応するコーナー頂部から被梱包物の外周面に沿ってコーナー頂部から第１内側面部に直交する方向の遠い側に位置する第２コーナー端部に向かって延びる面部である。第１及び第２外側面部は、被梱包物の平面視において、第１及び第２コーナー端部からコーナー頂部よりも外周側に位置しかつ外装材に接触する点であるコーナー外周側頂部に向かって真っ直ぐに延びる面部である。ここで、第１内側面部、第２内側面部、第１外側面部及び第２外側面部によって、被梱包物の平面視において２つの三角形が合わさった形状の中空空間が形成されている。そして、被梱包物の平面視において、段ボール素材は、その一端からその他端に向かって、第１外側面部、第１内側面部、第２内側面部、第２外側面部、第１外側面部の順に折り曲げられており、その一端が第１外側面部に位置し、その他端が第１外側面部の第１コーナー端部近傍に位置し、第１外側面部で重なっている。
【０００９】
このコーナー保護材では、２つの内側面部及び２つの外側面部によって、被梱包物の平面視において、２つの三角形が合わさった形状の中空空間を有するものとなり、これが被梱包物のコーナー部を囲むことになる。そして、このコーナー保護材では、２つの内側面部が被梱包物に面接触し、かつ、２つの外側面部が第１及び第２コーナー端部からコーナー外周側頂部に向かって真っ直ぐ延びており、しかも、段ボール素材の両端が第１外側面部で重なっている。このため、このコーナー保護材では、中空空間を有する形状であるにもかかわらず、被梱包物側方からの荷重に対して変形が抑えられ、型くずれが生じにくくなっている。
【００１０】
これにより、このコーナー保護材では、段ボール素材を積層して形成する場合に比べて、段ボール素材の使用量を少なくしつつ、被梱包物側方からの荷重に対する変形を抑えることができる。しかも、このコーナー保護材では、段ボール素材の折り曲げ箇所を少なくすることが可能になり、コーナー保護材を形成する作業を省力化することができる。
【００１１】
第３の観点にかかるコーナー保護材は、第１の観点にかかるコーナー保護材において、段ボール素材には、第１内側面部又は第２内側面部における重なり部分に係止爪が形成されている。
【００１２】
このコーナー保護材では、係止爪が形成されているため、被梱包物側方からの荷重に対する変形をさらに抑えることができる。
【発明の効果】
【００１３】
以上の説明に述べたように、本発明によれば、以下のような効果が得られる。
【００１４】
第１の観点にかかるコーナー保護材では、段ボール素材を積層して形成する場合に比べて、段ボール素材の使用量を少なくしつつ、被梱包物側方からの荷重に対する変形を抑えることができる。しかも、被梱包物のコーナー部の保護をより良好なものとすることができる。
【００１５】
第２の観点にかかるコーナー保護材では、段ボール素材を積層して形成する場合に比べて、段ボール素材の使用量を少なくしつつ、被梱包物側方からの荷重に対する変形を抑えることができる。しかも、コーナー保護材を形成する作業を省力化することができる。
【００１６】
第３の観点にかかるコーナー保護材では、被梱包物側方からの荷重に対する変形をさらに抑えることができる。
【図面の簡単な説明】
【００１７】
【図１】本発明にかかるコーナー保護材が採用された梱包装置の一実施形態を示す斜視図である。
【図２】コーナー保護材の拡大斜視図である。
【図３】コーナー保護材の平面断面図である。
【図４】コーナー保護材の展開図である。
【図５】変形例１にかかるコーナー保護材の平面断面図である。
【図６】変形例１にかかるコーナー保護材の展開図である。
【図７】変形例２にかかるコーナー保護材の平面断面図である。
【図８】変形例２にかかるコーナー保護材の展開図である。
【図９】変形例２にかかるコーナー保護材の平面断面図である。
【図１０】変形例２にかかるコーナー保護材の展開図である。
【図１１】従来のコーナー保護材の平面断面図である。
【発明を実施するための形態】
【００１８】
以下、本発明にかかるコーナー保護材が採用された梱包装置の実施形態について、図面に基づいて説明する。
【００１９】
＜梱包装置の全体構成＞
図１は、本発明にかかるコーナー保護材１２が採用された梱包装置１０を示す斜視図である。図２は、コーナー保護材１２の拡大斜視図である。尚、以下の説明においては、被梱包物１が梱包装置１０に梱包された状態を基準とし、この状態における被梱包物１の上下方向を「平面視」とし、被梱包物１の前後方向や左右方向を「側面視」とする。
【００２０】
被梱包物としての製品１は、空気調和装置等の機械製品である。本実施形態において、被梱包物１は、略直方体形状である。
【００２１】
梱包装置１０は、略直方体形状の被梱包物１を梱包する梱包装置である。梱包装置１０は、主として、パレット１１と、コーナー保護材１２と、外装材１３とを有している。
【００２２】
パレット１１は、梱包装置１０の下部を構成しており、被梱包物１が載置される部材である。ここでは、パレット１１は、木製の板材が釘やネジ等によって互いに固定されることによって構成されている。
【００２３】
コーナー保護材１２は、被梱包物１の平面視における各コーナー部１ａ、１ｂ、１ｃ、１ｄをそれぞれ保護する部材である。ここでは、コーナー保護材１２は、段ボール製の棒状の部材であり、被梱包物１の各コーナー部１ａ、１ｂ、１ｃ、１ｄを外周側から覆うように装着されている。そして、コーナー保護材１２は、被梱包物１の側面を覆う外装材１３によって、被梱包物１とともに外周側から覆われる。尚、コーナー保護材１２の詳細な構成は、後述するものとする。
【００２４】
外装材１３は、被梱包物１の側面をコーナー保護材１２とともに外周側から覆う部材である。ここでは、外装材１３は、下面が開口した段ボール製の箱状の部材であり、主として、天面部１３ａと、側面部１３ｂとを有している。天面部１３ａは、被梱包物１の頂部が直接又は緩衝材等を介して接する略正方形状又は略長方形状の部分である。側面部１３ｂは、天面部１３ａの周縁から下方に向かって延びる四角筒状の部分であり、コーナー保護材１２によってコーナー部１ａ、１ｂ、１ｃ、１ｄが覆われた状態の被梱包物１の側面を上方から被せることによって覆っている（図１の矢印Ｘを参照）。外装材１３は、所定の形状に切り取られた段ボール素材を折り曲げ加工することによって形成されている。
【００２５】
＜コーナー保護材の構成＞
次に、コーナー保護材１２の構成について、図１〜図４を用いて説明する。ここで、図３は、コーナー保護材１２の平面断面図である。図４は、コーナー保護材１２の展開図である。
【００２６】
コーナー保護材１２は、第１及び第２内側面部２１、２２と第１及び第２外側面部２３、２４とが１つの段ボール素材Ｐを折り曲げることによって形成されている。
【００２７】
第１及び第２内側面部２１、２２は、被梱包物１の平面視において、コーナー部１ａ、１ｂ、１ｃ、１ｄを被梱包物１の外周側から挟むように面接触する面部である。第１内側面部２１は、コーナー部１ａ、１ｂ、１ｃ、１ｄの頂点に対応するコーナー頂部Ａから被梱包物１の外周面に沿ってコーナー頂部Ａから遠い側に位置する第１コーナー端部Ｂに向かって延びている。第２内側面部２２は、コーナー頂部Ａから被梱包物１の外周面に沿ってコーナー頂部Ａから遠い側に位置する第２コーナー端部Ｄに向かって延びている。すなわち、第２内側面部２２は、コーナー頂部Ａから第１内側面部２１に直交する方向する方向に延びている。
【００２８】
第１外側面部２３は、被梱包物１の平面視において、第１コーナー端部Ｂからコーナー頂部Ａよりも外周側に位置しかつ外装材１３に接触する点であるコーナー外周側頂部Ｃに向かって真っ直ぐに延びる面部である。第２外側面部２４は、被梱包物１の平面視において、第２コーナー端部Ｄからコーナー外周側頂部Ｃに向かって真っ直ぐに延びる面部である。すなわち、第１及び第２外側面部２３、２４は、いずれも、被梱包物１の平面視において、被梱包物１から外周側に離れたコーナー外周側頂部Ｃから被梱包物１に接する第１又は第２コーナー端部Ｂ、Ｄに向かって屈曲することなく延びている。そして、２つの内側面部２１、２２及び２つの外側面部２３、２４によって、被梱包物１の平面視において２つの三角形が合わさった形状の中空空間Ｓが形成されている。
【００２９】
そして、被梱包物１の平面視において、段ボール素材Ｐの両端Ｅ、Ｆは、複数の面部２１、２２、２３、２４のいずれかにおいて重なるように折り曲げられている。ここでは、段ボール素材Ｐは、その一端Ｅが第１内側面部２１に位置し、その他端Ｆが第２内側面部２２に位置し、コーナー頂部Ａ、第１内側面部２１及び第２内側面部２２で重なっている。より具体的には、複数の面部２１、２２、２３、２４は、幅Ｌ（図４（ｂ）を参照）の段ボール素材Ｐを各端部Ａ、Ｂ、Ｃ、Ｄの位置で折り曲げることによって形成される面部３１、３２、３３、３４、３５、３６によって構成されている。そして、段ボール素材Ｐの一端Ｅに対応する面部３６と面部３２とが、第１内側面部２１で重なっている。また、段ボール素材Ｐの他端Ｆに対応する面部３１と面部３５とが、第２内側面部２２で重なっている。その他の面部３３、３４は、第１及び第２外側面部２３、２４をそれぞれ構成している。
【００３０】
また、段ボール素材Ｐは、コーナー保護材１２の各頂部及び端部Ａ、Ｂ、Ｃ、Ｄの折り曲げ線（図４（ｂ）の山折り線及び谷折り線）に直交する方向に波目が現れるように型取りされている（図４（ａ）を参照）。
【００３１】
＜コーナー保護材の特徴＞
上記の構成を有するコーナー保護材１２は、以下のような特徴を有している。
【００３２】
コーナー保護材１２では、上記のように、２つの内側面部２１、２２及び２つの外側面部２３、２４によって、被梱包物１の平面視において、２つの三角形が合わさった形状の中空空間Ｓを有するものとなり、これが被梱包物１のコーナー部１ａ、１ｂ、１ｃ、１ｄを囲んでいる。そして、コーナー保護材１２では、２つの内側面部２１、２２が被梱包物１に面接触し、かつ、２つの外側面部２３、２４が第１及び第２コーナー端部Ｂ、Ｄからコーナー外周側頂部Ｃに向かって真っ直ぐ延びている。しかも、段ボール素材Ｐの両端Ｅ、Ｆが第１及び第２内側面部２１、２２において重なっている。
【００３３】
このため、コーナー保護材１２では、中空空間Ｓを有する形状であるにもかかわらず、被梱包物１側方からの荷重に対して変形が抑えられ、型くずれが生じにくくなっている。具体的には、コーナー外周側頂部Ｃに対して被梱包物１側方から荷重Ｇが作用する場合（図３を参照）、この荷重Ｇは、図３の紙面上方に向かう荷重Ｇ１と、図３の紙面右方に向かう荷重Ｇ２とに分けることができる。そして、コーナー保護材１２に荷重Ｇ１が作用すると、この荷重Ｇ１は、第１外側面部２３及び第２内側面部２２によって受けることになる。この際、第２内側面部２２が被梱包物１に面接触しているため、第２内側面部２２の位置は動くことはない。このため、第２内側面部２２にコーナー頂部Ａを介して繋がっている第１内側面部２１の位置、すなわち、第１コーナー端部Ｂの位置も動くことはない。そうすると、第１外側面部２３は、第１コーナー端部Ｂからコーナー外周側頂部Ｃに向かって真っ直ぐ延びているため、荷重Ｇ１が作用しても動くことはない。すなわち、コーナー外周側頂部Ｃの荷重Ｇ１方向の移動が生じない。また、コーナー保護材１２に荷重Ｇ２が作用すると、この荷重Ｇ２は、第２外側面部２４及び第１内側面部２１によって受けることになる。この際、第１内側面部２１が被梱包物１に面接触しているため、第１内側面部２１の位置は動くことはない。このため、第１内側面部２１にコーナー頂部Ａを介して繋がっている第２内側面部２２の位置、すなわち、第２コーナー端部Ｄの位置も動くことはない。そうすると、第２外側面部２４は、第２コーナー端部Ｄからコーナー外周側頂部Ｃに向かって真っ直ぐ延びているため、荷重Ｇ２が作用しても動くことはない。すなわち、コーナー外周側頂部Ｃの荷重Ｇ２方向の移動が生じない。したがって、コーナー外周側頂部Ｃの位置は、荷重Ｇが作用しても動くことはなく、これにより、被梱包物１側方から荷重が作用してもコーナー保護材１２の変形が抑えられ、型くずれが生じにくくなっている。
【００３４】
これにより、コーナー保護材１２では、段ボール素材Ｐを積層して形成する場合に比べて（図１１を参照）、段ボール素材Ｐの使用量を少なくしつつ、被梱包物１側方からの荷重に対する変形を抑えることができる。
【００３５】
また、コーナー保護材１２では、上記のように、段ボール素材Ｐの両端Ｅ、Ｆが被梱包物１のコーナー部１ａ、１ｂ、１ｃ、１ｄに接触するコーナー頂部Ａ、第１内側面部２１及び第２内側面部２２で重なっているため、被梱包物１のコーナー部１ａ、１ｂ、１ｃ、１ｄの保護をより良好なものとすることができる。
【００３６】
また、コーナー保護材１２を構成する段ボール素材Ｐは、上記のように、コーナー保護材１２の各頂部及び端部Ａ、Ｂ、Ｃ、Ｄの折り曲げ線に直交する方向に波目が現れるように型取りされている。
【００３７】
このため、コーナー保護材１２の被梱包物１側方からの荷重に対する強度が高くなり、コーナー保護材１２の変形がさらに抑えられている。
【００３８】
＜変形例１のコーナー保護材の構成及びその特徴＞
上記のコーナー保護材１２（図３、４を参照）では、段ボール素材Ｐの両端Ｅ、Ｆがコーナー頂部Ａ、第１内側面部２１及び第２内側面部２２で重なるようにしているが、段ボール素材Ｐの両端Ｅ、Ｆを重ねる部分は、これに限定されるものではない。
【００３９】
例えば、図５、６に示すように、被梱包物１の平面視において、段ボール素材Ｐの一端Ｅが第１外側面部２３に位置し、その他端Ｆが第１外側面部２３の第１コーナー端部Ｂ近傍に位置し、第１外側面部２３で重なるようにしてもよい。より具体的には、複数の面部２１、２２、２３、２４は、幅Ｌ’（図６（ｂ）を参照）の段ボール素材Ｐ’を各端部Ａ、Ｂ、Ｃ、Ｄの位置で折り曲げることによって形成される面部１３１、１３２、１３３、１３４、１３５によって構成されている。そして、段ボール素材Ｐ’の一端Ｅに対応する面部１３５と面部１３１とが、第１外側面部２３で重なっている。また、段ボール素材Ｐ’の他端Ｆに対応する面部１３１が、第１外側面部２３の第１コーナー端部Ｂ近傍に位置している。その他の面部１３２、１３３、１３４は、第２外側面部２４、第２内側面部２２、及び、第１内側面部２１をそれぞれ構成している。
【００４０】
そして、本変形例のコーナー保護材１２においても、上記のコーナー保護材１２（図３、４を参照）と同様に、中空空間Ｓを有する形状であるにもかかわらず、被梱包物１側方からの荷重に対して変形が抑えられ、型くずれが生じにくくなっている。
【００４１】
また、本変形例のコーナー保護材１２では、段ボール素材Ｐを積層して形成する場合に比べて（図１１を参照）、段ボール素材Ｐの使用量を少なくしつつ、被梱包物１側方からの荷重に対する変形を抑えることができる。具体的には、上記のコーナー保護材１２（図３、４を参照）では、段ボール素材Ｐの折り曲げ箇所が５箇所であるが、本変形例のコーナー保護材１２では、段ボール素材Ｐ’の折り曲げ箇所が４箇所である。これにより、コーナー保護材１２を形成する作業を省力化することができる。
【００４２】
また、本変形例のコーナー保護材１２では、折り曲げ箇所が少なくなることに起因して、段ボール素材Ｐ’の幅Ｌ’も上記のコーナー保護材１２の段ボール素材Ｐの幅Ｌよりも小さくすることができる。これにより、段ボール素材の使用量をさらに少なくすることができる。
【００４３】
＜変形例２のコーナー保護材の構成及びその特徴＞
上記のコーナー保護材１２（図３、４を参照）において、被梱包物１側方からの荷重に対する変形をさらに抑えることができるようにするために、第１内側面部２１又は第２内側面部２２の重なり部分に係止爪を形成するようにしてもよい。
【００４４】
例えば、図７、８に示すように、コーナー保護材１２を構成する段ボール素材Ｐにおいて、第１内側面部２１における重なり部分に係止爪２５を形成するようにしてもよい。ここでは、第２内側面部２２を構成する面部３１に係止穴２６を形成し、第１内側面部２１を構成する面部３６に係止爪２５を形成して、係止爪２５を係止穴２６に挿入するようにしている。また、図７、８に示すように、第１外側面部２３を構成する面部３３にも係止爪２７を形成して、係止穴２６に挿入するようにしてもよい。
【００４５】
また、図９、１０に示すように、コーナー保護材１２を構成する段ボール素材Ｐにおいて、第２内側面部２２における重なり部分に係止爪２８を形成するようにしてもよい。ここでは、第２内側面部２２を構成する面部３１に係止穴２９を形成し、第２内側面部２２を構成する面部３５に係止爪２８を形成して、係止爪２８を係止穴２９に挿入するようにしている。
【００４６】
本変形例のコーナー保護材１２では、このような係止爪２５、２７、２８が形成されているため、被梱包物１側方からの荷重に対する変形をさらに抑えることができる。
【００４７】
尚、図８、１０においては、係止爪２５、２７、２８がコーナー保護材１２の長手方向（被梱包材１の上下方向）に１つだけ設けられているが、複数設けるようにしてもよい。
【００４８】
＜他の実施形態＞
以上、本発明の実施形態及び変形例について図面に基づいて説明したが、具体的な構成は、この実施形態及び変形例に限られるものではなく、発明の要旨を逸脱しない範囲で変更可能である。
【００４９】
例えば、上記実施形態及び変形例においては、外装材１３として下面が開口した段ボール製の箱状の部材を使用しているが、これに限定されるものではない。例えば、被梱包物１の側面をコーナー保護材１２とともに外周側から覆うようにストレッチフィルムを巻き付ける等のように、外装材として他の部材を使用してもよい。
【００５０】
また、変形例２においては、上記実施形態のコーナー保護材１２の第１内側面部２１又は第２内側面部２２における重なり部分に係止爪２５、２７、２８を形成しているが、これに限定されるものではない。例えば、変形例１のコーナー保護材１２において、第１外側面部２３に係止爪を形成してもよい。
【産業上の利用可能性】
【００５１】
本発明は、略直方体形状の被梱包物の平面視における各コーナー部をそれぞれ保護しており被梱包物の側面を覆う外装材によって被梱包物とともに外周側から覆われる段ボール製のコーナー保護材に対して、広く適用可能である。
【符号の説明】
【００５２】
１            被梱包物
１ａ〜１ｄ    コーナー部
１０          梱包装置
１２          コーナー保護材
１３          外装材
２１、２２    第１及び第２内側面部
２３、２４    第１及び第２外側面部
２５、２８    係止爪
Ａ            コーナー頂部
Ｂ、Ｄ        第１及び第２コーナー端部
Ｃ            コーナー外周側頂部
Ｅ、Ｆ        段ボール素材の両端
Ｐ、Ｐ’      段ボール素材
【先行技術文献】
【特許文献】
【００５３】
【特許文献１】特開平８−２５５３０号公報
【図１】
0005626131.tif 000002
【図２】
0005626131.tif 000003
【図３】
0005626131.tif 000004
【図４】
0005626131.tif 000005
【図５】
0005626131.tif 000006
【図６】
0005626131.tif 000007
【図７】
0005626131.tif 000008
【図８】
0005626131.tif 000009
【図９】
0005626131.tif 000010
【図１０】
0005626131.tif 000011
【図１１】
0005626131.tif 000012